(57)【要約】【課題】占有スぺースが小さく且つ表示の画面にさらに高い品質の画素を有する携帯可能のデジタルの映像装置を提供する。【解決手段】アナログ信号とデジタル信号を同時に受けると共に直接にソフトウェアによりマイクロプロセッサーを制御し受信した映像信号をディコーダーし、且つ映像信号のタイミングを調整し、表示パネルに表示する画素が高い解像度と速い応答時間を有し、同時にマイクロのアンテナ、表示装置、ビデオ-オーディオ処理システムとチューナーの組合せを利用し電力システムは外部の電力と充電バッテリーの2種類の電力供給により行い、テレビが電源の限定を受けない。【選択図】図２
0003126221.tif 000002
【実用新案登録請求の範囲】
【請求項１】
携帯可能のデジタルの映像装置であって、
信号を受け前記信号を伝送する信号の受信ユニットと、
前記信号の受信ユニットを接続し、且つ前記信号を受信し、それを映像信号とオーディオ信号に転換する信号のチューナーユニットと、
前記信号のチューナーユニットを接続し前記映像信号を受信し、且つデータの処理とデコーダを行った後、直接に表示ユニットに伝送し映像を放送すると共に、前記オーディオ信号を受信し伝送を行う信号の処理ユニットと、
前記信号の処理ユニットを接続し、前記オーディオ信号を受信、処理し、少なくとも一つのスピーカーユニットに伝送しオーディオを放送するオーディオ処理ユニットと、
以上の素子を接続すると共に、その電力を提供する電源供給ユニットとを含むことを特徴とする携帯可能のデジタルの映像装置。
【請求項２】
前記受信ユニットがアンテナ装置であることを特徴とする請求項1に記載する携帯可能のデジタルの映像装置。
【請求項３】
前記アンテナ装置が縦式のアンテナ、回転式のアンテナ或いは隠しのアンテナから選ぶことを特徴とする請求項2に記載する携帯可能のデジタルの映像装置。
【請求項４】
前記アンテナ装置が取り外し式のアンテナ装置或いは内蔵式のアンテナ装置であることを特徴とする請求項2に記載する携帯可能のデジタルの映像装置。
【請求項５】
前記信号がデジタルし信号或いはアナログ信号であることを特徴とする請求項１に記載する携帯可能のデジタルの映像装置。
【請求項６】
前記信号の処理ユニットがソフトウェアにより制御し、直接に前記映像信号にディコーダーすることを特徴とする請求項１に記載する携帯可能のデジタルの映像装置。
【請求項７】
前記信号の処理ユニットに、さらに
前記信号のチューナーユニットを接続し、前記映像信号を処理、ディコーダーすると共に、ユーザーが制御の信号を前記信号のチューナーユニットに送るすることを提供する少なくとも一つのマイクロプロセッサーと、
前記マイクロプロセッサーを接続し、全ての信号を保存するための少なくとも一つのメモリを含むことを特徴とする請求項１に記載する携帯可能のデジタルの映像装置。
【請求項８】
前記マイクロプロセッサーがソフトウェアにより制御し、直接に前記映像信号にディコーダーすることを特徴とする請求項7に記載する携帯可能のデジタルの映像装置。
【請求項９】
前記メモリがDRAM、SRAM、FLSH  RAMから選ぶことを特徴とする請求項7に記載する携帯可能のデジタルの映像装置。
【請求項１０】
信号の処理ユニットがSET-BOXの転換ユニットを接続することを特徴とする請求項１に記載する携帯可能のデジタルの映像装置。
【請求項１１】
前記オーディオ処理ユニットと前記スピーカーユニットの間にさらにオーディオの増幅ユニットを設置することを特徴とする請求項１に記載する携帯可能のデジタルの映像装置。
【請求項１２】
前記オーディオ処理ユニットにさらにオーディオの出力インタフェースを接続しイヤホーンを連結するを特徴とする請求項１に記載する携帯可能のデジタルの映像装置。
【請求項１３】
オーディオの出力インタフェースがホーンジャックであることを特徴とする請求項１2に記載する携帯可能のデジタルの映像装置。
【請求項１４】
前記電源供給ユニットがプラグ入力の電源或いは少なくとも一つのバッテリーの入力電源であることを特徴とする請求項１に記載する携帯可能のデジタルの映像装置。
【請求項１５】
前記バッテリーが充電バッテリーであることを特徴とする請求項１4に記載する携帯可能のデジタルの映像装置。
【請求項１６】
前記電源供給ユニットにさらに前記電源装置のエネルギーをモニターするように電源のモニターを接続することを特徴とする請求項１に記載する携帯可能のデジタルの映像装置。
【請求項１７】
前記電源モニターはモニターの信号を前記マイクロプロセッサーに伝送し、活、前記モニターの信号が前記表示ユニット或いは前記スピーカーユニットに表示できることを特徴とする請求項１6に記載する携帯可能のデジタルの映像装置。
【請求項１８】
前記信号の処理ユニットを接続し光源を提供するバックライトモジュールと、
前記信号の処理ユニットと前記バックライトモジュールを接続し、前記表示パネルが前記バックライトモジュールの光源を受ける表示パネルを含むことを特徴とする請求項１に記載する携帯可能のデジタルの映像装置。
【請求項１９】
前記バックライトモジュールの光源がCCFL或いはLEDであるを特徴とする請求項１8に記載する携帯可能のデジタルの映像装置。
【請求項２０】
前記表示パネルが液晶表示パネルであるを特徴とする請求項１8に記載する携帯可能のデジタルの映像装置。
【考案の詳細な説明】
【技術分野】
【０００１】
本考案は映像装置に関し、特に携帯可能のデジタルの映像装置に関する。
【背景技術】
【０００２】
知識をいっばいに充満する時代に、人々は主に情報を大量に取るメディアはテレビであり、従って、テレビが伝送の情報を大量に速く提供すると共に、さらに番組を放送することで距離の限定がない特性を有し、そこでテレビは日常生活において最も大切な且つ必要とするテクニックの製品となりました。しかし、電源の供給で信号の受信構造の設計の限定のために、従来のCRT、プラズマ式のテレビ或いは液晶テレビのいずれかのテレビでも、室内或いは車に多く設置され、観賞者が番組を見ると共に、自分の活動の自由を犠牲することが必要があり、こうして、番組の自身が距離の限定の特性がないことを違反し、このような欠点が従来のテレビでは最も嫌い問題となる。
【０００３】
しかし、台湾の特許第262940号に携帯可能のデジタルのテレビの設計を掲示しており、図１に示すように、それはこの携帯装置を上袋１０と下袋１２に分ける２個のスペースで、表示装置１４を上袋のスペースに収納し、下袋にこのデジタルのテレビの制御装置１６に収納し、上袋１０と下袋１２は携帯可能の袋となる。しかし、従来の携帯可能のデジタルのテレビの体積が大きく携帯の場合は手により提げ或いは負うことが必要があるので、実際に使用すると、かなり不便になり、加えて、この携帯テレビを使用するときに、上袋を開けなければならなく、観賞者はこのテレビを使用するときの占められる体積がスペースの浪費を招く。
【０００４】
これに鑑み、本考案は以上の問題点を解決するためになされたものであり、軽く薄く短く小さい構造の向きに設計し、且つ日々に発展されるデジタルのテレビシステムに応じて携帯可能のデジタルの映像装置を提出する。
【特許文献１】台湾特許第262940号
【考案の開示】
【考案が解決しようとする課題】
【０００５】
本考案の目的について主として携帯可能のデジタルの映像装置を提供し、ソフトウェアの設計によりマイクロプロセッサーが直接に受信した映像信号をディコーダーし、別のディコーダーを設ける必要がないため、内部回路の設計を有効に簡易化にしより装置の体積を小さくする。
【０００６】
本考案の別の目的について、携帯可能のデジタルの映像装置を提供し、直接にデジタルの信号をソフトウェアにより制御するマイクロプロセッサーに伝送し、ディコーダーと精度のタイミングを介して制御、処理した後、直接にデジタルの映像信号を読取ることができる表示ユニットに伝送し映像の放送を行うため、こうして、映像の解像度とその表示の品質を向上するようになる。
【０００７】
本考案の別の目的について、携帯可能のデジタルの映像装置を提供し、デジタルとアナログの信号を同時に受信するため、観賞者によりチャネルタイプの選択を多く提供できる。
【０００８】
本考案の別の目的について、携帯可能のデジタルの映像装置を提供し、体積の設計を大幅に小さくし携帯可能でデジタルテレビの映像を有する機能を提供すると共に、従来のテレビを接続することで、デジタル信号となる転換のSET-BOXをとする。
【０００９】
以上の各種の利点を達成するために、本考案は信号受信ユニット、信号チューナーユニット、信号の処理ユニット、オーディオ処理ユニット、電源供給ユニットを含む携帯可能のデジタルの映像装置を提供する。その中に、信号受信ユニットを介して信号を受信した後、信号チューナーユニットに伝送し信号の転換を行い映像信号とオーディオ信号を取り、かつ、映像信号とオーディオ信号を信号の処理ユニットに伝送することで、映像信号は信号の処理ユニットに直接にディコーダーとタイミングの制御を行い、表示ユニットに再伝送し、オーディオ信号がさらにオーディオ処理ユニットの処理によることが必要があり、スピーカーユニットからオーディオを放送する。以上の全ての素子は電源供給ユニットと接続し、作動を行うように十分な電力を有する。
以下に具体的な実施例と添付される図面により詳しく説明し、こうして本考案の目的、技術内容、特徴、達成する効果をより理解し易い。
【考案を実施するための最良の形態】
【００１０】
以下、本発明の実施例について、図面を参照しながら説明する。
【実施例】
【００１１】
時代とテクニクの発展につれて、ハイーテクニクの産業の発展はテレビ、表示装置などの産業をも新しい活力に注入し、軽く薄く短く小さい構造の向きに設計することを加えて、デジタルテレビシステムの発展を利用する。すると、本考案はデジタルの映像装置を提供し、高解像度、高便利の携帯式の映像表示装置を目的とする。以下に本考案の各種の実施例の形態を詳細に説明し、かつ、図面により説明する。
【００１２】
図2と図3を参照すると、本考案に係るシステムブロック図と傾斜の概略図をそれぞれ示す。その中に、信号受信ユニット２０は外部からの信号２２を受信すると共に、それを信号チューナーユニット２４に伝送し、信号チューナーユニット２４を通過する信号２２は映像信号とオーディオ信号に分けられ、発生した映像信号とオーディオ信号は直ぐに信号の処理ユニット２６に入りられる。信号の処理ユニット２６において、マイクロプロセッサー２６１とメモリを分け、マイクロプロセッサー２６１が映像信号とオーディオ信号を受信すると、同期に映像信号とオーディオ信号を処理し、映像信号の部分についてソフトウェアにより制御するマイクロプロセッサー２６１に直接にディコーダーし、別に設置するディコーダーが必要がなく、ディコーダーを完了すると、異なる信号の種類と表示ユニット２８の仕様の間の関係に従って映像信号をより好ましい応答タイミングに調節し、表示ユニット２８により放送した映像品質が好ましい解像度を持ち、かつ、より速い応答時間を持つ。さらに、オーディオ信号の部分について信号の処理ユニット２６によりそれをオーディオ処理ユニット３０に伝送することで、以上の映像信号は信号の処理ユニット２６を通過した後、直接に表示ユニット２８に伝送し映像を放送する。オーディオ信号はオーディオ処理ユニット３０で受信と処理を行い、完了すると、オーディオの増幅ユニット３２に伝送しオーディオ品質の転換を処理する。次はスピーカーユニット３４は映像の表示に応じて放送し、鑑賞者が鑑賞する番組を鑑賞、聞くことができる。このほかに、以上の全ての素子は電源供給ユニット４０と接続し、この電源供給ユニット４０により全ての装置が作動を行うように十分な電力を有する。
【００１３】
また、本考案はそれを携帯式のテレビにする他に、鑑賞者は普通のテレビによりテレビ番組を観る場合は信号処理ユニットがさらにSET-BOXユニット３８と接続するため、本考案の携帯可能のデジタルの映像装置を普通のテレビにも接続しデジタルSET-BOXになりかなり便利である。
【００１４】
以上の信号受信ユニット２０はアンテナ装置であり、その構成の材料についてステンレス、アルミ、ニッケル或いは記憶性のスチールで、異なる材料の性質によって異なるタイプ例えば、縦式のアンテナ、回転式のアンテナ或いは隠しのアンテナなどのアンテナ構造を製造できる。また、マイクロプロセッサー
２６１はワンチップシステムであり、メモリはRAM２６２、Flash memory２６３などであり、表示ユニット２８２にバックライトモジュール２８１と表示パネル２８２を含むため、その中に、バックライトモジュール２８１が使用するランプはCCFL或いは発光ダイオード（LED）であり、表示ユニット２８２の部分について、鑑賞者は光線が強い環境で番組を鑑賞することができることに応じるために、表示パネルでは眩み防止の機能を設置し輝度が強すぎる環境により番組を鑑賞できない欠点ことを解決する。オーディオの増幅ユニット３２はオーディオの出力インタフェース３６と接続し、このオーディオの出力インタフェース３６はオーディオ入力端子（Phone Jack）で、外付けのイヤホン、スピーカーなどの放送装置と接続する。電源供給ユニット４０が使用される電源は外付けタイプと内蔵タイプ可能であり、即ち、本考案の携帯可能のデジタルの映像装置を外付けの電源の環境に使用すると、外付けの電源により全ての素子を必要とする電力を供給し、それを内蔵タイプの電源の環境に使用すると、内蔵タイプの電源により全ての素子を必要とする電力を供給し、内蔵タイプの電源は充電式のバッテリー可能で、例えばLi-バッテリー、Ni-Hバッテリー、燃料バッテリー、ソーラーバッテリーなどで、鑑賞者が番組を鑑賞する同時に装置の電力が十分になるかどうかを確認するために、この電源供給ユニット４０は電源供給ユニット４０の電力容量が十分になるかどうかを監視するように電源モニター４４とマイクロプロセッサー２６１をさらに接続し、かつ表示パネル２８２或いはスピーカーユニット３４を介して表示の方法又は声音の方法とし鑑賞者を知らせる。
【００１５】
本考案の携帯可能のデジタルの映像装置における信号の処理ユニット２６と表示ユニット２８の間にデコーダを設置していないので、デコーダの仕事はソフトウェアにより制御するマイクロプロセッサー２６を利用し普通のデコーダに代わって、従って、内部回路の設計を簡易化すると共に、信号処理の能力と活用性を向上する。
【００１６】
以上の記述は実施例により本考案の特徴を説明し、その目的はこの領域を熟知している技術者により本考案の内容を理解し実施し、本発明の請求項に限定されるのはではないことはいうまでもない。すなわち、本発明が記載されている精神により均一的な変化或いは修正を行い、すべて上記の特許請求の範囲内に含まれる。
【図面の簡単な説明】
【００１７】
【図１】従来に係る傾斜図を示す概略図。
【図２】本考案に係るシステムを示すブロック図。
【図３】本考案に係る傾斜を示す概略図。
【符号の説明】
【００１８】
10  上袋
12  下袋
14  表示装置
16  制御装置
20  信号受信ユニット
22  信号
24  信号チューナーユニット
26  信号の処理ユニット
261  マイクロプロセッサー
262  RAM
263  Flash memory
28   表示ユニット
282  表示パネル
281  バックライトモジュール
30  オーディオ処理ユニット
32  オーディオの増幅ユニット
34  スピーカーユニット
36  オーディオの出力インタフェース
38  SET-BOXの転換ユニット
40  電源供給ユニット
42  電源の入力インタフェース
44  電源モニター
【図１】
0003126221.tif 000003
【図２】
0003126221.tif 000004
【図３】
0003126221.tif 000005